(57)【要約】【課題】差異性輝度減衰画素を有する光学ディスプレイ上でイメージを表示する方法を提供する。【解決手段】本発明は発光ダイオードディスプレイ装置上に応用し、差異性輝度減衰画素を補償する方法とシステムである。第一周波数で、複数の画素を含むビデオイメージフレームを表示するビデオデータ入力を受信した後、一つ、或いは、複数の画素は、差異性輝度減衰画素であると判断される。差異性輝度減衰画素の情報に基づいて、第一サブフレームを表示する。第一サブフレームは、一つ、或いは、複数の差異性輝度減衰画素を含み、且つ、少なくとも一つの差異性輝度減衰画素のディスプレイパラメータは、発光ダイオードディスプレイ装置の累積使用量に対応する低下値を有する。次に、第二サブフレームを表示し、その中の差異性輝度減衰画素の対応するディスプレイパラメータは、低下値と補償しあう値を有する。【選択図】図４ 
2005157281.tif 000002
【特許請求の範囲】
【請求項１】
ディスプレイ装置上の差異性輝度減衰画素を補償する方法であって、
第一周波数で、複数の画素を含むビデオイメージフレームを表示するビデオデータ入力を受信する工程と、
輝度の補償が必要とされる一つ、或いは、複数の差異性輝度減衰画素を備える、前記ビデオイメージフレームの一部分を表す第一サブフレームを表示する工程と、
差異性輝度減衰画素に対応する補償輝度値を有する少なくとも一つの第二サブフレームを表示する工程と、
からなり、
前記第一サブフレームと前記第二サブフレームは、第二周波数で連続的に表示され、肉眼での区別が判定できないようになっていることを特徴とする方法。
【請求項２】
第一サブフレームと第二サブフレームは、第二周波数で、連続的に表示され、有効ディスプレイ周波数が前記第一周波数と等しい請求項１に記載の方法。
【請求項３】
更に、ビデオイメージフレームの画素を検索し、差異性輝度減衰画素を探す工程を含む請求項１又は請求項２に記載の方法。
【請求項４】
更に、差異性輝度減衰画素の補償輝度を判定する工程を含む請求項３に記載の方法。
【請求項５】
更に、補償輝度値に基づいて、第一サブフレームと第二サブフレームを生成する工程と、補償輝度に基づいて、第二周波数を決定する工程と、を含むことを特徴とする請求項４に記載の方法。
【請求項６】
更に、一つ、或いは複数の差異性輝度減衰画素に、少なくとも一つの各画素の累計輝度値を示す累計画素情報を供給するデータベースを提供する工程と、
前記データベースとイメージフレーム中の画素とを比較して、差異性輝度減衰画素を探し出す工程と、
を含む請求項３又は請求項４に記載の方法。
【請求項７】
更に、画素情報に基づいて、既に識別された差異性輝度減衰画素に関するデータベース中の画素情報を累計し、イメージフレームを表示することを特徴とする請求項６に記載の方法。
【請求項８】
発光ダイオードディスプレイ装置に用いられる差異性輝度減衰画素の補償方法であって、
第一周波数で、ビデオイメージフレームを表示するビデオデータ入力を受信する工程と、
前記イメージフレーム中の一つ、或いは、複数の画素が差異性輝度減衰画素であるかどうか判定する工程と、
前記ビデオイメージフレームの一部分を表す第一サブフレームを表示し、一つ、或いは、複数の差異性輝度減衰画素を備え、且つ、少なくとも一つの差異性輝度減衰画素のディスプレイパラメータは、発光ダイオードディスプレイ装置の累計使用量に基づいて低下する工程と、
前記第一サブフレームと補償しあう少なくとも一つの第二サブフレームを表示し、前記第二サブフレームが有する差異性輝度減衰画素のディスプレイパラメータは、前記第一サブフレーム中の対応するディスプレイパラメータに基づいて補償値を有する工程と、
からなり、
前記第一サブフレームと前記第二サブフレームは、第二周波数で連続的に表示され、肉眼での区別が判定できないようになっていることを特徴とする方法。
【請求項９】
第一サブフレームと第二サブフレームは、第二周波数で連続的に表示され、有効ディスプレイ周波数が第一周波数と等しい請求項８に記載の方法。
【請求項１０】
更に、各差異性輝度減衰画素のディスプレイパラメータに関する補償ディスプレイデータを決定する請求項８又は請求項９に記載の方法。
【請求項１１】
第一サブフレームと第二サブフレームとを表示する工程は、更に、補償ディスプレイデータに基づいて、第一サブフレームと第二サブフレームを生成する工程と、補償ディスプレイデータに基づいて第二周波数を決定する工程と、からなる請求項１０に記載の方法。
【請求項１２】
差異性輝度減衰画素を判定する工程は、ビデオイメージフレームの画素と、一つ或いは複数の差異性輝度減衰画素に累計ディスプレイデータを提供するデータベースとを比較する工程を含み、前記累計ディスプレイデータは、少なくとも一つのディスプレイパラメータの低下程度を提示する請求項８〜請求項１１のいずれか１項に記載の方法。
【請求項１３】
更に、第一サブフレームと第二サブフレームに従って、累計ディスプレイデータの値を累計する請求項１２に記載の方法。
【請求項１４】
ディスプレイパラメータは、画素の輝度値である請求項８〜請求項１３のいずれか１項に記載の方法。
【請求項１５】
ディスプレイ装置をベースとする発光ダイオード上の差異性輝度減衰画素を補償するシステムであって、
第一周波数で、ビデオイメージフレームを表示するビデオデータ入力を受信する受信装置と、
前記イメージフレーム中の一つ、或いは、複数の画素が差異性輝度減衰画素であるかどうか判定する判定装置と、
第二周波数で、連続で、前記第一サブフレームと前記第二サブフレームを表示し、肉眼では、前記フレーム上にいかなる区別も判定できないようなディスプレイ装置と、
からなり、
前記第一サブフレームは複数の画素を含み、それらの画素中の一つの或いは複数の画素は差異性輝度減衰画素で、且つ、少なくとも一つの差異性輝度減衰画素のディスプレイパラメータは、発光ダイオードディスプレイ装置の累計使用量に基づいて低下し、前記第二サブフレームが有する差異性輝度減衰画素のディスプレイパラメータは、前記第一サブフレーム中の対応するディスプレイパラメータに基づいて補償値を有することを特徴とするシステム。
【請求項１６】
第一サブフレームと第二サブフレームは、第二周波数で連続的に表示さ、有効ディスプレイ周波数は第一周波数と等しい請求項１５に記載のシステム。
【請求項１７】
判定装置は、更に、検出装置を備え、各差異性輝度減衰画素のディスプレイパラメータに関する補償ディスプレイデータを決定する請求項１５又は請求項１６に記載のシステム。
【請求項１８】
判定装置は、更に、補償ディスプレイデータに基づいて、第一サブフレームと第二サブフレームを生成し、補償ディスプレイデータに基づいて、第二周波数を決定する請求項１７に記載のシステム。
【請求項１９】
判定装置は、更に、比較装置を備え、ビデオイメージフレームの画素と、一つ或いは複数の差異性輝度減衰画素に累計ディスプレイデータを提供するデータベースとを比較し、累計ディスプレイデータは少なくとも一つのディスプレイパラメータの低下程度を提示する請求項１５〜請求項１８のいずれか１項に記載のシステム。
【請求項２０】
判定装置は、演算法が組み込まれたイメージプロセッサ／コントローラーであることを特徴とする請求項１５〜請求項１９のいずれか１項に記載のシステム。
【発明の詳細な説明】
【技術分野】
【０００１】
本発明は、電気光学ディスプレイ装置（ＥＬＥＣＴＲＯ−ＯＰＴＩＣＡＬ  ＤＩＳＰＬＡＹ  ＤＥＶＩＣＥ）、及び、ディスプレイイメージの処理方法とシステムに関するものであって、特に、差異性輝度減衰画素を有するエレクトロルミネセンスディスプレイ装置（ＥＬＥＣＴＲＯＬＵＭＩＮＥＳＣＥＮＣＥ  ＤＩＳＰＬＡＹ  ＤＥＶＩＣＥ）上でイメージを表示する方法及びシステムに関するものである。
【背景技術】
【０００２】
一般的なエレクトロルミネセンスディスプレイ装置は発光装置を基本素子として、画素と称されるイメージ素子を形成する。一般のディスプレイ装置の画素は、発光ダイオードＬＥＤからなり、単色、或いは、白色光を発する。画素は基本的に、平面アレイの方式で配列され、それぞれ、イメージ信号処理器からの特定の輝度、色彩、オン／オフ状態、及び、その他のディスプレイパラメータを受信して、時間をベースとして駆動し、一定時間内で一つの特定イメージを表示する。
【０００３】
図１は、公知のディスプレイシステム１００のブロック図で、キーとなる構成を説明する。ビデオ画素データ１０２は、プロセッサ／コントローラー領域１０４を入力するのに用いられ、プロセッサ／コントローラー領域１０４は累計された画素データを処理した後、処理されたビデオイメージデータを得る。プロセッサ／コントローラー領域１０４は、ビデオ画素データ１０２、及び／又は、処理済のビデオイメージデータを、メモリ装置１０６に保存し、バッファする。処理済のビデオ情報が既にスタンバイの状態である時、ビデオディスプレイ装置１０８の対応する画素上に伝送されて、イメージを生成する。ビデオディスプレイ装置１０８中の各画素は、それぞれ、独自のディスプレイパラメータ、例えば、輝度、色彩、オン／オフ状態を有する。単一画素はＰｘｙで表示され、ｘとｙはビデオディスプレイ装置１０８の平面座標軸ｘ−ｙに対応する。複数の画素Ｐｘｙを累計し、ビデオディスプレイ装置１０８の平面スクリーンアレイを充填して、ビデオイメージを生成する。
【０００４】
有機発光ダイオード（ＯＬＥＤ）等の、全てのＬＥＤタイプは使用時間の累積に従ってその輝度も減衰していき、回復が不能である。この種の減衰現象は通常、素子材質構造上の物理化学変化である。時間と相関する減衰特性は、ディスプレイ装置を使用した後、各画素間の使用率差異が広がって、減衰程度が不一致で、イメージの品質に影響を与えるという問題を生じる。ディスプレイ装置が、静的又は反復するイメージに用いられる場合、使用頻度の高い画素はあまり使用されない画素よりも輝度の減衰が明らかであり、これら使用頻度の高い輝度減衰の画素は、「差異性輝度減衰」画素と称される。
【０００５】
この種の差異性輝度減衰効果は、表示したいイメージに好ましくない影響をもたらす。ディスプレイ上で表示されるイメージが変化したとき、前のイメージが、輝度が低い形態で新しいイメージ上に重畳するのが見られることがある。古いイメージは画素の寿命差異により長時間ディスプレイ上に存在し残像と称される。残像は使用者の注意力を分散し、ディスプレイフレームの正確度に影響する。各画素の使用率は予知、制御できるものではないので、特別の措置により残像の出現を防止する必要がある。寿命差異メカニズムを完全に消去するのは不可能に近いので、その他の方法によりこの欠陥を補う必要がある。
【０００６】
図２は、公知のイメージ処理方法のフローチャートを示し、差異性輝度減衰画素の減衰差異効果が残像を生じる欠点を解決する。この方法は、演算法（ＡＬＧＯＲＩＴＨＭ）をイメージプロセッサ／コントローラーと組み合わせ、過去の各ディスプレイ画素の累計使用量に基づいて、各ディスプレイ画素が出力する補償調整を決定する。図２のフローチャートで示されるように、本方法の第一工程２０２は、各画素データを周期的にサンプリングして、各画素の使用状態を捉える。データサンプリング期間は、ディスプレイシステムの設計によって決定され、例えば、高いサンプリングレートは、基本的に高い精確度の補償調整を得ることができ、ディスプレイシステムのハード能力と保存容量を向上させなければならない。工程２０４において、画素データの周期的サンプリングで得られる結果は、各画素の使用状態の履歴をコンパイルしメモリ位置に保存する。工程２０６において、一定数のサンプリングを経た後、使用状態履歴の編集結果に基づいて各画素の輝度の減衰状態を見積もる。見積もりの実施方法としては、例えば、収集された画素の使用状態のデータを発光ダイオード減衰指数方程式中に代入し、各画素の輝度減衰量を算出する。
【０００７】
続いて、工程２０８中で、一定のサンプリング区間中、最も常用される画素の最低輝度値を算出する。工程２１０において、各画素の輝度補償係数を算出する。輝度補償係数は基本的に、最低輝度値と差異性輝度減衰画素の輝度減衰点の比例から計算される。続いて、輝度補償係数を画素のディスプレイパラメータ中に代入して、画素全体の輝度が一致した寿命減衰量を表すようにする。
【０００８】
そして、工程２１２において、差異性輝度減衰画素の校正プログラムを経て、イメージフレームが正確にディスプレイ装置上に表示される。
【０００９】
このようなイメージ処理方法は、効果的な解決方法であり寿命差異と差異性輝度減衰画素により生じる残像とイメージ欠陥を解決する。しかし、イメージ校正方法は、発光ダイオード減衰指数方程式、サンプリングレート、及び、画素使用量と輝度とから想定される相関性により複雑である。この複雑さは、イメージ品質に影響を及ぼし、特に、不適切な発光ダイオード減衰指数方程式は不正確な画素値と不均一なイメージ輝度を生じる。これらのダイオード減衰指数方程式の計算は、フローティングポイント数等の値と計算の精度能力に基づく。この他、不足しているデータ収集量、データ保存空間、或いは、データサンプリングレート全てが結果に影響する。
【００１０】
上述の方法は、画素使用量と輝度最小値最大値間の相関性を推定し、調整の基礎を構築する。全画素の輝度は、同等の寿命減衰量を有するように見える。よって、ネックとなるのは、画素の老化及び最大輝度減衰に従って、校正方法が表示するイメージも、輝度全体、或いは、ビデオ強度も低下し、コントラストも低下し始める。即ち、輝度、或いは、ビデオ強度は、時間が長くなると、範囲が縮減する。
【特許文献１】米国特許第６５５２７３５号明細書
【発明の開示】
【発明が解決しようとする課題】
【００１１】
本発明は、正確で、明確なイメージディスプレイ方法及びシステムを提供し、イメージ品質、或いは、ディスプレイ効率に影響を及ぼさず、簡単な機構で各種異なるディスプレイ装置上に応用でき、特定のディスプレイ技術に限定しないイメージディスプレイ方法及びシステムを提供することを目的とする。
【課題を解決するための手段】
【００１２】
本発明は、上述の目的を達成するための方法とシステムを提供し、発光ダイオードをベースとするディスプレイ装置上の差異性輝度減衰画素を補償する。第一周波数で、イメージフレームを表示するビデオデータ入力を受信した後、イメージフレーム中に含まれる一つ、或いは、複数の画素が差異性輝度減衰画素と判定される。これらの差異性輝度減衰画素の情報に基づいて、第一サブフレームが表示され、第一サブフレームは、一つ、或いは、複数の画素が差異性輝度減衰画素を備え、且つ、少なくとも一つの差異性輝度減衰画素のディスプレイパラメータは、発光ダイオードディスプレイ装置の累計使用量に対応する低下値を有する。続いて、少なくとも一つの第二サブフレームを表示し、第二サブフレームが有する差異性輝度減衰画素のディスプレイパラメータ中、輝度校正補償係数を含む。第一サブフレームと第二サブフレームは、第二周波数で、連続表示され、肉眼では、フレーム上の二つのフレームの区別は判断できない。
【発明の効果】
【００１３】
本発明によれば、効果的に差異性輝度減衰画素に関するイメージ欠陥問題を校正することができる。この方法は、イメージ品質の問題、或いは、ディスプレイへの影響が生じることなく、各種ディスプレイ装置上で実施可能であり、異なるディスプレイ技術にも応用される。
【発明を実施するための最良の形態】
【００１４】
図３は、本発明の一実施例を示し、差異性輝度減衰効果により生じるイメージ欠陥問題を校正するのに用いられるイメージ処理方法のフローチャート３００を示す。フローチャート３００は、各イメージ画素中の画素それぞれのディスプレイパラメータの処理工程を詳細に説明する。工程３０２において、各画素データを周期性サンプリングし、各画素Ｐｘｙのディスプレイパラメータを捕捉する。既にサンプリングされた画素データは、工程３０４において選定されたメモリ或いはデータベースに保存される。データベースは、各種減衰画素に関するディスプレイパラメータの相関情報を備え、特に画素Ｐｘｙの輝度値に関する。これらの保存されたデータは累計性を備え、例えば、特定の画素Ｐｘｙが三回連続してサンプリングされ、輝度値１００ＮＩＴＳを有している場合、画素Ｐｘｙの累計輝度値（ＮＩＴ表示される）は、３００ＮＩＴＳである。このデータベース中のサブセットは、差異性輝度減衰であると判断された画素だけ含むことができる。説明を簡潔にするため、以下では、輝度値を例としているが、実際は輝度値に限定するものではなく、各種ディスプレイ装置中、寿命問題で減衰する各種ディスプレイパラメータは、同様に、以下の方法を利用して補償することが出来る。
【００１５】
ディスプレイイメージ画面のビデオデータを受信した後、各画素Ｐｘｙは、工程３０６において検索され差異性輝度減衰画素を探し出す。画素ディスプレイ情報、或いは、前のビデオイメージフレームに基づいて処理された画素データは、データベース中に既に存在するので、差異性輝度減衰画素は、各画素Ｐｘｙの累計輝度値（ＮＩＴＳ）を確認することにより得られる。画素Ｐｘｙの使用率が高いほど、輝度減衰の発生する可能性が高くなり、輝度値、或いは、累計輝度値は好ましい指標となる。続いて、累計輝度値と所定のしきい値を比較して、輝度減衰が生じているかどうかを判断する。簡単に言えば、累計輝度値が差異性輝度減衰しきい値を超過した画素Ｐｘｙは、輝度が減衰したイメージを表示することから、差異性輝度減衰画素と判断される。工程３０６の判断中、いかなる差異性輝度減衰画素も見つからなかった場合、工程３０７に進み、ビデオイメージフレームの全画素Ｐｘｙを処理して表示する。ビデオイメージデータは処理され転換された後、ディスプレイ装置に出力されて、規定の周波数で表示される。通常、差異性輝度減衰画素を備えない正常なフレームディスプレイ周波数は、ディスプレイ装置の基本周波数をして予め設定されている。
【００１６】
工程３０６において、ビデオイメージフレームが検索されるとき、差異性輝度減衰画素の存在が発見された場合、データベース中の差異性輝度減衰であると判断されたこれらの画素が出され後続処理が施される。一方、ビデオイメージフレームのある画素Ｐｘｙの累計輝度値が差異性輝度減衰しきい値より低いが、新しい輝度値が加えられた後、差異性輝度減衰しきい値を超過する場合、これらの画素Ｐｘｙも差異性輝度減衰画素と判断され、後続処理が施される。その後、工程３０８において、データベース中、イメージフレームの全画素データが使用状況によって累計される。
【００１７】
差異性輝度減衰画素に対し、更に、校正や補償が必要かどうか判断される。これらは、差異性輝度減衰画素の余分な画素ディスプレイパラメータを計算することにより達成される。ビデオプロセッサ／コントローラーは、一つ或いは多種の基準、トリガー方法を使用して、校正や補償が必要かどうか判断する。例を挙げると、ある基準がデータベース中に保存された各差異性輝度減衰画素に対応する累計輝度値と予め設定された補償しきい値とを比較することが出来る。各画素Ｐｘｙの累計輝度値は不断に累計されるので、累計が補償しきい値を超過するとき、差異性輝度減衰画素は校正や補償が必要と判断される。補償しきい値は、差異性輝度減衰しきい値と異なっていてもよいし、同じでもよい。
【００１８】
もう一つの実施例において、補償トリガーメカニズムは、画素Ｐｘｙの使用率、或いは、ユーザー定義のソフト、ハードウェアに基づいた基準を含む。例を挙げると、画素Ｐｘｙが補償を必要としているかは、近接するいくつかの画素Ｐｘｙが補償を必要としているかに基づいて判断するものである。大きい領域における大量の画素Ｐｘｙ中の単一画素Ｐｘｙは、単独で補償を実行することはない。
【００１９】
補償計算工程３１４は、少なくとも一つの演算法を保存された画素データに応用する。演算法は、各画素Ｐｘｙ位置のイメージデータを計算すると共に、二個或いはそれ以上のビデオイメージサブフレームに分割する。第一サブフレームと本来必要とされるイメージフレームとには大きな差異がなく、差異性輝度減衰と正常な画素のディスプレイパラメータからなる。第二サブフレームは補償サブフレームで、差異性輝度減衰と判断された画素からなり、これらの画素中、例えば、補償輝度値である若干の補償ディスプレイデータからなる。例を挙げると、ビデオプロセッサ／コントローラーは、データベース中の累計輝度値に基づいて輝度減衰差異効果により生じる損耗を見積もって補償輝度値を求め、補償輝度値を第二サブフレーム中の対応する差異性輝度減衰画素上に適用し、その結果、合成された表示結果と正常な画素Ｐｘｙとの間には一見すると差異がなくなる。
【００２０】
ビデオイメージフレームは、連続した関連するサブフレームより組成される。工程３１６において、第一サブフレームがまず表示され、続いて、工程３１８において、第二サブフレームが表示される。これにより、第一サブフレーム中の画素データ、及び、第二サブフレーム中の計算された補償された画素データは転換されて、ディスプレイ装置中に伝送されて、完全なビデオイメージフレームを形成する。ユーザーの肉眼で見た場合、本来のビデオフレームには変化がなく、二つのフレームが交替して表示された結果であることはわからない。
【００２１】
上述のように、最後に得られた結果が、一つの全画素の正常なビデオフレームと等しく、ディスプレイ装置の基本周波数下で、単一ビデオフレームとして現われる。肉眼で第一サブフレームと第二サブフレームの区分が知られるのを防止するため、この二つのフレームは、ディスプレイデューティサイクルの半分を占め、連続して交替出力する。多重サブフレームの連続交替表示を達成するため、ビデオプロセッサ／コントローラーは、パルス生成器、或いは、類似の効果を有するモジュールを有し、各サブフレームのディスプレイデューティサイクルを決定するのを助ける。
【００２２】
図４は、第一サブフレームと第二サブフレームを整合する実施例を示す図である。説明を明確にするため、ある部分は仮定で、例えば、ディスプレイ装置の基本周波数は６０ヘルツ、即ち、単一の発光デューティサイクルは１／６０秒である。第一サブフレームと第二サブフレームのディスプレイ時間は、発光操作周期の半分を占め、即ち、１／１２０秒である。ディスプレイ装置にとって、毎秒処理しなければいけないデータ量は、全部で第一サブフレームの６０枚と第二サブフレームの６０枚で、これにより、実際上、１２０ヘルツの処理能力を具備していなければならない。
【００２３】
ビデオイメージフレームをディスプレイしようとする。未補償の状態下でディスプレイされる時、差異性輝度減衰画素のせいで、表示結果は第一サブフレーム４０２で示されるように、正常領域「ａ」と差異性輝度減衰画素領域「ｂ」を有する。差異性輝度減衰画素検索と補償運算後、補償フレームが得られ、第二サブフレーム４０４で示されるように、第一サブフレーム４０２がディスプレイ装置で表示された後、続いて表示される。第二サブフレーム４０４中、調整された、補償画素領域「ｃ」は、重畳されて、第一サブフレーム４０２の差異性輝度減衰画素領域「ｂ」の上に表示され、中間に残された空白は、第一サブフレーム中の正常な領域「ａ」が影響を受けないようにする。
【００２４】
第一サブフレーム４０２と第二サブフレーム４０４は、６０ヘルツの周波数で表示されるが、発光デューティサイクルは、それぞれ、元の半分に降下し交替表示する。第一サブフレーム４０２ディスプレイ時、第二サブフレーム４０４はディスプレイされない。ビデオメモリは、毎秒、１２０回のフレームを更新する必要がある。しかし、肉眼で、視覚に残像が残り、サブフレーム表示時間の間隔がないので、発光デューティサイクル中、二つのフレームは見出しにくい。よって、視覚上、感じられる周波数は、６０、或いは、１２０ヘルツで、それぞれ異なる。
【００２５】
第一サブフレームは、本来のイメージフレームと同じとは限らない。初期データ処理後、第一及び第二サブフレームの合成結果が本来のイメージフレームと相同の効果を有していればよく、第一及び第二サブフレームの間は異なる画素を有して互いに補償しあう。つまり、第一サブフレームは本来のイメージフレーム中の一部分を呈現するだけでよく、その他の部分は、第二サブフレームから、第一フレームが提供したデータに基づいて補償を実行する。
【００２６】
第一及び第二サブフレーム整合のもう一つの例が以下で記述される。複数の画素は、正常な状況下で、均一な１００ＮＩＴＳを有する。第一サブフレーム中の差異性輝度減衰画素は、輝度が６０ＮＩＴＳしかなく、それらの正常な画素は正常な１００ＮＩＴＳを維持する。差異性輝度減衰画素は、第二サブフレーム中、差異性輝度減衰画素に対応する電圧を増加させ、輝度を１４０ＮＩＴＳに等しくさせる。二つのサブフレームの発光デューティサイクルは半減し、加算すると、一つの発光デューティサイクルに等しくなり、得られる視覚上の補償効果は、輝度（６０＋１４０）／２＝１００ＮＩＴＳである。一方、それらの第一サブフレーム中の正常な画素は、一つの発光デューティサイクルが１００ＮＩＴＳを持続して発するように維持し、第二サブフレームの余分な補償を受信せず、これにより、本来のディスプレイ効果を維持する。注意すべきことは、６０ヘルツのディスプレイ周波数にとって、一つの発光デューティサイクルは、１／６０秒で、半分の発光デューティサイクルは、１／１２０秒であることである。
【００２７】
これにより、元のビデオイメージフレーム中、差異性輝度減衰画素の存在を検出し、ビデオプロセッサ／コントローラー中の補償演算法は、動態的に、この差異性輝度減衰画素に、更新された補償データを提供すると共に、第一及び第二サブフレームを生成して、必要なイメージを表示する。
【００２８】
本発明が使用するこのイメージ処理方法とシステムは、効果的なソリューションを提供し、輝度減衰差異効果と差異性輝度減衰画素により生じる残像とその他の問題を解決し、イメージ品質とディスプレイへの影響が生じない。簡単で簡潔な演算法は、少量のデータ入力と仮説パラメータを使用し、精確度の高い補償メカニズムを達成する。補償画素データを順序よくサブフレームのイメージディスプレイパラメータの技術に応用することにより、画素減衰差異を主とする各種イメージディスプレイ問題が完全な解決方法を獲得する。
【００２９】
この補償方法とシステムは、画素輝度の減衰問題を解決するだけでなく、イメージ全体の輝度とイメージの全体輝度とビデオイメージの強度値を保護する。これらの画素のコントラスト比と輝度範囲は、ディスプレイ装置の使用期限内で安定的に維持される。
【図面の簡単な説明】
【００３０】
【図１】公知のディスプレイシステム１００のブロック図である。
【図２】公知のイメージデータ処理方法のフローチャートである。
【図３】本発明の実施例によるイメージデータ処理方法のフローチャートである。
【図４】本発明の実施例による複数のサブフレームと差異性輝度減衰画素を示す図である。
【符号の説明】
【００３１】
１００  公知のディスプレイシステム
１０２  ビデオ画素データ
１０４  プロセッサ／コントローラー領域
１０６  メモリ装置
１０８  ビデオディスプレイ装置
２００  公知のイメージ処理方法
３００  本発明のイメージ処理方法
４０２  第一サブフレーム
４０４  第二サブフレーム
４０６  補償イメージフレーム
【図１】
2005157281.tif 000003
【図２】
2005157281.tif 000004
【図３】
2005157281.tif 000005
【図４】
2005157281.tif 000006